(57)【要約】【課題】折り畳んで使用される用紙に対して、適切な位置に文字等が印刷されるようにすることができる画像処理装置及び画像処理プログラムの提供。【解決手段】用紙を折り畳んだ状態でスキャンして得た第１の画像と、前記用紙を拡げた状態でスキャンして得た第２の画像と、を取得する第１の処理と、前記第１の画像と前記第２の画像と、を重ね合わせた画像を表示部にプレビュー表示する第２の処理と、前記プレビュー表示した画像に対して入力された情報を前記用紙に印刷させるための印刷データを生成する第３の処理と、を実行する制御部を備える。【選択図】図１１
2013200583.tif 000002
【特許請求の範囲】
【請求項１】
用紙を折り畳んだ状態でスキャンして得た第１の画像と、前記用紙を拡げた状態でスキャンして得た第２の画像と、を取得する第１の処理と、
前記第１の画像と前記第２の画像と、を重ね合わせた画像を表示部にプレビュー表示する第２の処理と、
前記プレビュー表示した画像に対して入力された情報を前記用紙に印刷させるための印刷データを生成する第３の処理と、を実行する制御部を備える、
ことを特徴とする画像処理装置。
【請求項２】
前記第２の処理では、
前記第１の画像内に、前記情報を入力するための入力エリアを表示する、
ことを特徴とする請求項１に記載の画像処理装置。
【請求項３】
前記画像処理装置は、
前記第２の画像に対する前記第１の画像の位置と、前記入力エリアの位置及びサイズと、を調整するための操作部を備える、
ことを特徴とする請求項１又は２に記載の画像処理装置。
【請求項４】
前記第２の処理では、
前記第１の画像から前記折り畳んだ用紙の輪郭線を抽出すると共に、前記第２の画像から折り線を抽出し、前記輪郭線と前記折り線とに基づいて、前記第２の画像に対する前記第１の画像の位置を決定する、
ことを特徴とする請求項１又は２に記載の画像処理装置。
【請求項５】
前記第２の処理では、
前記第１の画像及び前記第２の画像から、前記用紙に印刷された模様を抽出し、前記模様に基づいて、前記第２の画像に対する前記第１の画像の位置を決定する、
ことを特徴とする請求項１又は２に記載の画像処理装置。
【請求項６】
前記画像処理装置は、前記用紙をスキャンする画像読取部を備え、
前記第１の処理では、前記画像読取部に対して、前記輪郭線及び前記折り線、及び／又は、前記模様を抽出可能なコントラストで、前記用紙のスキャンを実行させる、
ことを特徴とする請求項４又は５に記載の画像処理装置。
【請求項７】
印刷装置、若しくは、前記印刷装置にネットワークで接続される装置で動作する画像処理プログラムであって、
前記印刷装置、若しくは、前記装置に、
用紙を折り畳んだ状態でスキャンして得た第１の画像と、前記用紙を拡げた状態でスキャンして得た第２の画像と、を取得する第１の処理、
前記第１の画像と前記第２の画像と、を重ね合わせた画像を表示部にプレビュー表示する第２の処理、
前記プレビュー表示した画像に対して入力された情報を前記用紙に印刷させるための印刷データを生成する第３の処理、を実行させる、
ことを特徴とする画像処理プログラム。
【請求項８】
前記第２の処理では、
前記第１の画像内に、前記情報を入力するための入力エリアを表示する、
ことを特徴とする請求項７に記載の画像処理プログラム。
【請求項９】
前記第２の処理では、
前記第１の画像から前記折り畳んだ用紙の輪郭線を抽出すると共に、前記第２の画像から折り線を抽出し、前記輪郭線と前記折り線とに基づいて、前記第２の画像に対する前記第１の画像の位置を決定する、
ことを特徴とする請求項７又は８に記載の画像処理プログラム。
【請求項１０】
前記第２の処理では、
前記第１の画像及び前記第２の画像から、前記用紙に印刷された模様を抽出し、前記模様に基づいて、前記第２の画像に対する前記第１の画像の位置を決定する、
ことを特徴とする請求項７又は８に記載の画像処理プログラム。
【請求項１１】
前記第１の処理では、前記用紙をスキャンする装置に対して、前記輪郭線及び前記折り線、及び／又は、前記模様を抽出可能なコントラストで、前記用紙のスキャンを実行させる、
ことを特徴とする請求項９又は１０に記載の画像処理プログラム。
【発明の詳細な説明】
【技術分野】
【０００１】
本発明は、画像処理装置及び画像処理プログラムに関し、特に、折り畳んで使用される用紙の印刷に際してプレビュー表示を行う画像処理装置及び画像処理プログラムに関する。
【背景技術】
【０００２】
近年、色付きの用紙や模様付きの用紙などの特殊な用紙に対して、文字などを印刷するための様々なアプリケーションが提供されており、例えば、帳票印刷などでは、帳票のフォーマットが印刷された帳票用紙をスキャンした画像を下地として、文字等を印刷するアプリケーションが知られている。このアプリケーションでは、色付きの用紙や模様付きの用紙を用いて印刷する際に、その用紙をスキャンした画像に入力された文字等を合成した合成画像をプレビュー表示して、印刷物の仕上がりを確認できるようにしている。
【０００３】
このようなプレビュー表示に関して、例えば、下記特許文献１には、印刷データと取り込まれた画像データを合成した印刷プレビューを表示するプリンタドライバが動作可能な情報処理装置において、印刷プレビュー表示が設定されているか否かを判定する判定手段と、前記判定手段において印刷プレビュー表示が設定されていると判定された場合、画像データを取り込むか否かを判定する取り込み判定手段と、前記取り込み判定手段において前記画像データを取り込むと判定された場合、前記画像データを前記情報処理装置に取り込む取り込み手段と、前記取り込み手段によって取り込まれた画像データおよび前記印刷データに基づいて印刷プレビュー合成データを作成する作成手段と、前記作成手段によって作成された印刷プレビュー合成データを表示部に表示する表示手段と、を有する構成が開示されている。
【０００４】
また、下記特許文献２には、ユーザ定義用の用紙をスキャンして得られた用紙カラー画像データを入力する画像データ入力部と、前記用紙カラー画像データを識別情報とともに記憶する記憶部と、編集対象の文書データを入力する文書データ入力部と、識別情報を入力する識別情報入力部と、前記識別情報入力部によって入力された前記識別情報に対応する前記用紙カラー画像データを前記記憶部から読み出し、その読み出した用紙カラー画像データと前記文書データ入力部によって入力された前記文書データとを合成してプレビュー画像を生成するプレビュー画像生成部と、前記プレビュー画像を表示する表示部とを備えた構成が開示されている。
【先行技術文献】
【特許文献】
【０００５】
【特許文献１】特開２００６−１１９５４号公報
【特許文献２】特開２００６−２６８６４５号公報
【発明の概要】
【発明が解決しようとする課題】
【０００６】
上述したように、印刷対象となる用紙をスキャンした画像と、その用紙に印刷する文字等と、を合成した合成画像をプレビュー表示することによって、その用紙に対して、入力された文字等が適切な位置に配置されているかを確認することができるが、この技術は、文字等が印刷された用紙をそのまま利用することを前提としているため、印刷済みの用紙を折り畳んで使用する場合は、入力された文字等がその用紙の適切な位置に印刷されるとは限らない。
【０００７】
例えば、グリーティングカードやご祝儀袋、熨斗袋の場合、それらの元となる用紙は拡げた状態で印刷装置にセットされるが、拡げた状態の用紙をスキャンした画像と入力された文字等とを合成した合成画像を見ても、入力された文字等が、折り畳んだ状態で適切な位置に配置されるかを判断することができない。すなわち、用紙によっては適切な位置に美麗な文字を印刷するためには、折り畳んだ状態でないと印刷位置が決められないという問題があった。
【０００８】
本発明は、上記問題点に鑑みてなされたものであって、その主たる目的は、折り畳んで使用される用紙に対して、適切な位置に文字等が印刷されるようにすることができる画像処理装置及び画像処理プログラムを提供することにある。
【課題を解決するための手段】
【０００９】
上記目的を達成するため、本発明は、用紙を折り畳んだ状態でスキャンして得た第１の画像と、前記用紙を拡げた状態でスキャンして得た第２の画像と、を取得する第１の処理と、前記第１の画像と前記第２の画像と、を重ね合わせた画像を表示部にプレビュー表示する第２の処理と、前記プレビュー表示した画像に対して入力された情報を前記用紙に印刷させるための印刷データを生成する第３の処理と、を実行する制御部を備えるものである。
【００１０】
また、本発明は、印刷装置、若しくは、前記印刷装置にネットワークで接続される装置で動作する画像処理プログラムであって、前記印刷装置、若しくは、前記装置に、用紙を折り畳んだ状態でスキャンして得た第１の画像と、前記用紙を拡げた状態でスキャンして得た第２の画像と、を取得する第１の処理、前記第１の画像と前記第２の画像と、を重ね合わせた画像を表示部にプレビュー表示する第２の処理、前記プレビュー表示した画像に対して入力された情報を前記用紙に印刷させるための印刷データを生成する第３の処理、を実行させるものである。
【発明の効果】
【００１１】
本発明の画像処理装置及び画像処理プログラムによれば、折り畳んで使用される用紙に対して、適切な位置に文字等が印刷されるようにすることができる。
【００１２】
その理由は、画像処理装置（画像処理プログラム）は、用紙を折り畳んだ状態でスキャンして得た第１の画像と、その用紙を拡げた状態でスキャンして得た第２の画像と、を取得し、第１の画像と第２の画像とを重ね合わせてプレビュー表示して、用紙の適切な位置（折り畳んだ時に意図する表示形態となる位置）に文字等の情報を入力できるようにするからである。
【００１３】
これにより、印刷済みの用紙を折り畳んだ時に、印刷された文字等の情報がユーザの意図に反して見えなくなってしまったり、ユーザの意図に反して見えてしまったりすることがなくなり、完成品の見栄えを格段に向上させることができる。
【図面の簡単な説明】
【００１４】
【図１】本発明の一実施例に係る印刷システムの構成を模式的に示す図である。
【図２】本発明の一実施例に係る印刷システムの他の構成を模式的に示す図である。
【図３】本発明の一実施例に係る印刷システムの他の構成を模式的に示す図である。
【図４】本発明の一実施例に係る画像処理装置の構成を示すブロック図である。
【図５】折り畳んだ用紙（熨斗袋）のスキャン画像と拡げた用紙のスキャン画像とを重ね合わせる方法を説明する図である。
【図６】折り畳んだ用紙（グリーティングカード）のスキャン画像と拡げた用紙のスキャン画像とを重ね合わせる方法を説明する図である。
【図７】折り畳んだ用紙（窓付きのグリーティングカード）のスキャン画像と拡げた用紙のスキャン画像とを重ね合わせる方法を説明する図である。
【図８】折り畳んだ用紙（窓付きのグリーティングカード）のスキャン画像と拡げた用紙のスキャン画像とを重ね合わせる方法を説明する図である。
【図９】折り畳んだ用紙（組み立て式のグリーティングカード）のスキャン画像と拡げた用紙のスキャン画像とを重ね合わせる方法を説明する図である。
【図１０】本発明の一実施例に係る画像処理装置の動作を示すフローチャート図である。
【図１１】本発明の一実施例に係る画像処理装置におけるプレビュー表示の一例を示す図である。
【図１２】本発明の一実施例に係る画像処理装置におけるプレビュー表示の他の例を示す図である。
【図１３】本発明の一実施例に係る画像処理装置におけるプレビュー表示の他の例を示す図である。
【発明を実施するための最良の形態】
【００１５】
背景技術で示したように、印刷に際して、用紙をスキャンした画像と入力された文字等とを合成した合成画像をプレビュー表示するアプリケーションが知られているが、グリーティングカードやご祝儀袋、熨斗袋のように、折り畳んで使用される用紙に文字等を印刷する場合、折り畳む前の拡げた状態の用紙をスキャンした画像を表示しても、その用紙のどの部分が文字等の印刷場所として適切な部分であるかを判断することができないという問題があった。
【００１６】
そこで、本発明の一実施の形態では、印刷装置や印刷装置に印刷を指示する装置（画像処理装置）は、用紙を折り畳んだ状態でスキャンして得た第１の画像とその用紙を拡げた状態でスキャンして得た第２の画像とを取得し、第１の画像と第２の画像とを重ね合わせた画像を表示部にプレビュー表示する。その際、第２の画像に対する第１の画像の位置を上下左右に移動させる機能を設けたり、用紙の輪郭、折り目などの線や模様に基づいて第２の画像に対する第１の画像の位置を自動で調整する機能を設けたりして、第２の画像の適切な位置に第１の画像を重ね合わせて表示する。そして、表示部に、文字等の情報を入力する入力エリアやソフトウェアキーボードを表示させたり、入力エリアの位置やサイズの調整、プレビュー表示される画像の拡大／縮小等を可能にする操作部を設けたりして、用紙上の適切な位置に任意のフォントや大きさの文字等の情報を印刷できるようにする。
【００１７】
これにより、用紙を折り畳んだ状態で、入力した文字等の情報がどのように見えるかを事前に確認することができ、完成品の見栄えを格段に向上させることができる。
【実施例】
【００１８】
上記した本発明の実施の形態についてさらに詳細に説明すべく、本発明の一実施例に係る画像処理装置及び画像処理プログラムについて、図１乃至図１３を参照して説明する。図１乃至図３は、本実施例の印刷システムの構成を模式的に示す図であり、図４は、本実施例の画像処理装置の構成を示すブロック図である。また、図５乃至図９は、折り畳んだ用紙のスキャン画像と拡げた用紙のスキャン画像とを重ね合わせる方法を説明する図である。また、図１０は、本実施例の画像処理装置の動作を示すフローチャート図であり、図１１乃至図１３は、本実施例の画像処理装置におけるプレビュー表示の一例を示す図である。
【００１９】
図１に示すように、本実施例の印刷システムは、印刷を指示するコンピュータ端末１０と、印刷を実行する画像処理装置２０と、用紙をスキャンするスキャナ装置３０と、で構成され、これらは、イーサネット（登録商標）、トークンリング、ＦＤＤＩ（Fiber-Distributed Data Interface）等の規格により定められるＬＡＮ（Local Area Network）やＷＡＮ（Wide Area Network）等の通信ネットワーク４０によって接続されている。
【００２０】
なお、本実施例の印刷システムは、印刷に際して、用紙を折り畳んだ状態でスキャンして得た画像と、その用紙を拡げた状態でスキャンして得た画像と、を重ね合わせた画像をプレビュー表示することを特徴とするものであり、画像処理装置２０にスキャナ装置３０としての機能を備えている場合は、図２に示すように、スキャナ装置３０を省略することができる。
【００２１】
また、図１及び図２の構成の場合、折り畳んだ状態の用紙と拡げた状態の用紙とをスキャナ装置３０若しくは画像処理装置２０でスキャンした画像をコンピュータ端末１０が取得し、コンピュータ端末１０の表示部にこれらの画像を重ね合わせた画像をプレビュー表示することもできるが、これらの画像を重ね合わせてプレビュー表示する処理を画像処理装置２０で行ってもよく、その場合は、図３に示すように、印刷システムを画像処理装置２０のみで構成することもできるし、画像処理装置２０とスキャナ装置３０とで構成することもできる。以下の説明では、図３の構成を前提にして説明する。
【００２２】
図４に示すように、画像処理装置２０は、制御部（画像処理部）２１と、画像読取部２２と、表示部２３と、操作部２４と、給紙部２５と、画像形成部２６と、排紙部２７などで構成される。
【００２３】
制御部２１は、各構成部を制御する部分で、ＣＰＵ（Central Processing Unit）２１ａ、ＲＯＭ（Read Only Memory）やＲＡＭ（Random Access Memory）などのメモリ２１ｂ、ＨＤＤ（Hard Disk Drive）２１ｃ、通信Ｉ／Ｆ部２１ｄなどを備え、これらはバスを介して接続されている。ＣＰＵ２１ａは各部の制御などを行う。メモリ２１ｂは、ＨＤＤ２１ｃ、画像読取部２２、通信Ｉ／Ｆ部２１ｄから読み込んだ種々のデータを一時的に記憶する部分で、記憶されたデータはＣＰＵ２１ａによって画像処理され、必要に応じてＨＤＤ２１ｃや画像形成部２６に転送される。ＨＤＤ２１ｃは、ＣＰＵ２１ａが各部を制御するためのプログラム、自装置の処理機能に関する情報などを格納し、これらはＣＰＵ２１ａにより必要に応じて読み出され、メモリ２１ｂ上で実行処理される。通信Ｉ／Ｆ部２１ｄは、通信ネットワーク４０を介して繋がっている機器との接続を確立し、データの送受信を実行する。
【００２４】
上記制御部２１は、画像処理部としても機能する。この画像処理部は、画像読取部２２（若しくはスキャナ装置３０）から、用紙を折り畳んだ状態（すなわち、完成品として使用される状態）でスキャンして得た画像（以下、完成品画像と呼ぶ。）の画像データと、その用紙を拡げた状態（すなわち、画像処理装置２０にセットする状態）でスキャンして得た画像（以下、印刷用紙画像と呼ぶ。）の画像データと、を取得し、２つの画像データに基づく画像を重ね合わせた画像を表示部２３にプレビュー表示する。また、画像処理部は、必要に応じて、２つの画像データに基づく画像を重ね合わせる際に、用紙の輪郭や折り目の線、模様などを基づいて、印刷用紙画像に対する完成品画像の位置を自動的に調整する。この画像処理部はハードウェアとして構成してもよいし、画像処理装置２０を画像処理部として機能させる画像処理部プログラムとして構成し、当該画像処理部プログラムを制御部２１上で動作させる構成としてもよい。
【００２５】
画像読取部２２は、原稿台上に載置された折り畳んだ状態の用紙及び拡げた状態の用紙を光学的に読み取る部分であり、用紙を走査する光源と、用紙で反射された光を電気信号に変換するＣＣＤ（Charge Coupled Devices）等のイメージセンサと、電気信号をＡ／Ｄ変換するＡ／Ｄ変換器等により構成される。なお、画像読取部２２での用紙の読み取りに際して、制御部２１の指示によりコントラストなどを調整することが可能であり、コントラストを上げることにより、用紙の輪郭や折り目などの線、薄い模様などを認識可能に読み取ることができる。
【００２６】
表示部２３は、液晶表示装置（ＬＣＤ：Liquid Crystal Display）や有機ＥＬ（electroluminescence）表示装置等からなり、画像処理装置２０を操作するための画面やプレビュー表示の画面等を表示する。また、操作部２４は、ボタンやスイッチ等からなり、印刷用紙画像に対する完成品画像の位置の調整、印刷する文字等の入力、入力された文字等の印刷位置の調整等の操作を可能にする。なお、表示部２３と操作部２４とは別々の装置としても良いし、表示部２３上に、透明電極が格子状に配置された静電式若しくは感圧式の操作部（タッチパネル）２４を設けた一体の装置としてもよく、タッチパネルの場合は、画面に表示されるボタンやソフトウェアキーボードなどを用いて、上記操作を行うこともできる。
【００２７】
給紙部２５は、各種サイズの用紙を格納する用紙トレイ、特殊サイズの用紙を装填する手差しトレイなどで構成される。また、用紙トレイに格納された用紙や手差しトレイに装填された用紙を画像形成部２６へ送り出す搬送系を含む。
【００２８】
画像形成部２６は、電子写真方式や静電記録方式等の作像プロセスを利用した画像形成に必要な構成要素で構成され、操作部２４で入力された文字等の画像を、給紙部２５から搬送された用紙上に形成する。
【００２９】
排紙部２７は、文字等が印刷された用紙を排出する。
【００３０】
なお、図４では、画像処理装置２０に画像読取部２２を設けているが、折り畳んだ状態の用紙及び拡げた状態の用紙のスキャンを外部のスキャナ装置３０で実行する場合は、画像読取部２２を省略することができる。
【００３１】
また、本実施例では、画像処理装置２０に給紙部２５、画像形成部２６及び排紙部２７などを設けているが、画像処理装置２０で印刷データを生成し、通信ネットワーク４０に接続される他の装置で印刷データに基づいて印刷処理を実行する場合は、給紙部２５、画像形成部２６及び排紙部２７を省略することもできる。
【００３２】
また、本実施例では、画像処理装置２０の制御部２１を、画像処理部として機能させているが、図１又は図２の構成の印刷システムの場合は、コンピュータ装置の制御部を、画像処理部として機能させてもよいし、印刷システムにプリンタコントローラやＲＩＰ（Raster Image Processor）コントローラを備える場合は、プリンタコントローラやＲＩＰコントローラを画像処理部として機能させてもよい。
【００３３】
次に、用紙を折り畳んだ状態でスキャンして得た画像（完成品画像）と、用紙を拡げた状態でスキャンして得た画像（印刷用紙画像）と、を重ね合わせる方法について、図５乃至図９を参照して説明する。
【００３４】
図５は熨斗袋の例を示している。図５（ａ）に示すように、熨斗袋は、折り畳んだ状態の用紙（この例では、縦方向、横方向とも三つ折りをした用紙）に着脱可能な飾りが取り付けられる。この熨斗袋に文字等を印刷する場合、図５（ｂ）に示すように、拡げた状態の用紙の中央部分に文字等を印刷することになるが、用紙を拡げた状態では飾りを用紙に取り付けることができないため、印刷用紙画像をプレビュー表示しても、どの部分が熨斗袋の表面になるかが分からず、文字等を印刷した用紙を折り目で折り畳んだ時に、文字等の一部が熨斗袋の裏に配置されたり、文字等の一部に飾りが重なったりする場合がある。そこで、本実施例では、図５（ｃ）に示すように、用紙を折り畳んだ状態でスキャンして得た完成品画像とその用紙を拡げた状態でスキャンして得た印刷用紙画像とを重ね合わせ、重ね合わせた画像をプレビュー表示することによって、どの位置に文字等を配置すればよいかを容易に認識できるようにする。
【００３５】
図６はグリーティングカードの例を示している。図６（ａ）に示すように、このグリーティングカードは、二つ折りの用紙の片側（左側の折り返し部）は四角ではなく特殊な形（ここでは５角形）となっており、折り畳んだ状態では折り返し部が重なる部分と重ならない部分とができる。このグリーティングカードに文字等を印刷する場合、図６（ｂ）の右側の部分に印刷することになるが、用紙を拡げた状態ではどの部分に折り返し部が重なるかが分かりづらいため、用紙を折り目で折り畳んだ時に、見せたい文字が折り返し部に重なって見えなくなってしまったり、隠したい文字が折り返し部からはみ出して見えてしまったりする場合がある。そこで、本実施例では、図６（ｃ）に示すように、用紙を折り畳んだ状態でスキャンして得た完成品画像とその用紙を拡げた状態でスキャンして得た印刷用紙画像とを重ね合わせてプレビュー表示することによって、グリーティングカードの折り返し部に対してどの位置に文字等を配置すればよいかを容易に認識できるようにする。
【００３６】
図７は窓付きのグリーティングカードの例を示している。図７（ａ）に示すように、このグリーティングカードは、二つ折りの用紙の片側には切り抜き部があり、折り畳んだ状態で切り抜き部から下側の用紙が見えるようになっている。このグリーティングカードに文字等を印刷する場合、図７（ｂ）の右側の部分に印刷することになるが、用紙を拡げた状態ではどの部分が切り抜き部から見える部分であるかかが分かりづらいため、用紙を折り目で折り畳んだ時に、見せたい文字が切り抜き部からはみ出して見えなくなってしまったり、隠したい文字が切り抜き部に重なって見えてしまったりする場合がある。そこで、本実施例では、図７（ｃ）に示すように、用紙を折り畳んだ状態でスキャンして得た完成品画像とその用紙を拡げた状態でスキャンして得た印刷用紙画像とを重ね合わせてプレビュー表示することによって、グリーティングカードの切り抜き部に対してどの位置に文字等を配置すればよいかを容易に認識できるようにする。
【００３７】
図８は窓付きのグリーティングカードの別の例を示している。図８（ａ）に示すように、このグリーティングカードは、二つ折りの用紙の片側には特殊な形の切り抜き部があり、折り畳んだ状態で切り抜き部から下側の用紙が見えるようになっている。このグリーティングカードに文字等を印刷する場合、図８（ｂ）の右側の部分に印字することになるが、用紙を拡げた状態ではどの部分が切り抜き部から見える部分であるかが図７よりも分かりづらいため、用紙を折り目で折り畳んだ時に、見せたい文字が切り抜き部からはみ出して見えなくなってしまったり、隠したい文字が切り抜き部に重なって見えてしまったりする可能性が高くなる。そこで、本実施例では、図８（ｃ）に示すように、用紙を折り畳んだ状態でスキャンして得た完成品画像とその用紙を拡げた状態でスキャンして得た印刷用紙画像とを重ね合わせてプレビュー表示することによって、リーティングカードの切り抜き部に対してどの位置に文字等を配置すればよいかを容易に認識できるようにする。
【００３８】
図９は、組立式のグリーティングカードの例を示している。図９（ａ）に示すように、このグリーティングカードは、用紙が特殊な形をしており、四角の各辺を折り畳むと中央部分に隙間ができるようになっている。このグリーティングカードに文字等を印刷する場合、図９（ｂ）の中央の矩形領域に印刷することになるが、用紙を拡げた状態ではどの部分が隙間になる部分であるかが分かりづらいため、用紙を折り目で折り畳んだ時に、見せたい文字が隙間からはみ出して見えなくなってしまったり、隠したい文字が隙間に重なって見えてしまったりする場合がある。そこで、本実施例では、図９（ｃ）に示すように、用紙を折り畳んだ状態でスキャンして得た完成品画像とその用紙を拡げた状態でスキャンして得た印刷用紙画像とを重ね合わせてプレビュー表示することによって、グリーティングカードの隙間に対してどの位置に文字等を配置すればよいかを容易に認識できるようにする。なお、このような特殊な形状の用紙は、台紙に固定することによって、手差しトレイなどから給紙することができる。
【００３９】
以下、上記制御を実現するための画像処理装置２０の動作について、図１０のフローチャート図、及び、図１１乃至図１３のプレビュー表示例を参照して説明する。なお、以下の説明では、画像処理装置２０の操作部２４を操作して印刷する文字を入力する構成とするが、図１又は図２の印刷システムでは、コンピュータ端末１０で印刷する文字を入力し、その文字の情報を画像処理装置２０に送信する構成としてもよい。
【００４０】
まず、ユーザは、画像処理装置２０の画像読取部２２（若しくはスキャナ装置３０）を用いて、用紙を折り畳んだ状態とその用紙を拡げた状態とでスキャンする。その際、通常のスキャンでは、余分な線や裏の文字が写り込まないように、コントラストを下げ、濃度の薄い部分を白にして出力する処理を行うが、本実施例では、用紙の輪郭や模様、拡げた用紙の折り目などが認識できるようにするために、この処理を停止させ、コントラストを上げてスキャンすることが望ましい。
【００４１】
用紙を折り畳んだ状態とその用紙を拡げた状態とでスキャンした後、画像処理装置２０の画像処理部（画像処理プログラム）は、用紙を折り畳んだ状態でスキャンして得た完成品画像の画像データを取り込むと共に（Ｓ１０１）、その用紙を拡げた状態でスキャンして得た印刷用紙画像の画像データを取り込む（Ｓ１０２）。なお、本実施例では、用紙を折り畳んだ状態とその用紙を拡げた状態とでスキャンする構成とするが、完成品画像及び／又は印刷用紙画像の画像データが予め用意されている場合は、その画像データを利用してもよい。
【００４２】
次に、画像処理部（画像処理プログラム）は、印刷用紙画像の画像データに基づいて拡げた用紙の用紙サイズを検出し（Ｓ１０３）、検出した用紙サイズを印刷する用紙サイズとして設定する（Ｓ１０４）。
【００４３】
次に、画像処理部（画像処理プログラム）は、折り畳んだ用紙のスキャン画像（完成品画像）と拡げた用紙のスキャン画像（印刷用紙画像）とを表示部２３にプレビュー表示する（Ｓ１０５）。図１１は、画像処理装置２０の表示部２３におけるプレビュー表示の一例を示しており、画面上に、印刷用紙画像に完成品画像を重ね合わせた画像が表示される。なお、プレビュー表示に際して、折り畳んだ状態の用紙と拡げた状態の用紙とをコントラストを上げてスキャンすることによって、用紙の輪郭や模様、拡げた用紙の折り目などを認識することができるため、画像処理部（画像処理プログラム）は、この線や模様を利用して、完成品画像を印刷用紙画像の適切な位置に配置することが可能である。
【００４４】
例えば、図５の熨斗袋の場合は、完成品画像の周囲の４辺が印刷用紙画像の折り目に重なるように配置したり、完成品画像の熨斗の画像と印刷用紙画像の熨斗の画像とが重なるように配置したりすることによって、完成品画像を印刷用紙画像の適切な位置に配置することができる。また、図６乃至図８のグリーティングカードの場合は、完成品画像の上下及び右の辺が印刷用紙画像の縁に重なるように配置することによって、完成品画像を印刷用紙画像の適切な位置に配置することができる。また、図９の組立式のグリーティングカードの場合は、完成品画像の周囲の４辺が印刷用紙画像の折り目に重なるように配置することによって、完成品画像を印刷用紙画像の適切な位置に配置することができる。
【００４５】
このプレビュー表示の画面には、プレビュー表示された画像に対する各種操作を行う操作部２４（位置調整キー２４ａや拡大縮小キー２４ｂなど）が設けられており、必要に応じて、ユーザは操作部２４を操作して、プレビュー表示されている画像を拡大／縮小したり、印刷用紙画像に対する完成品画像の位置を調整したりする（Ｓ１０６）。なお、画像処理部（画像処理プログラム）が、縁や折り目、模様に基づいて、完成品画像を印刷用紙画像の適切な位置に正確に合わせることができる場合は、このステップは省略することができる。
【００４６】
次に、ユーザが操作部２４（決定キー２４ｃなど）を操作して、完成品画像の位置を決定すると（Ｓ１０７のＹＥＳ）、画像処理部（画像処理プログラム）は、図１２に示すように、表示部２３の画面上に、印刷する文字を入力するためのソフトウェアキーボード２４ｄや、入力した文字を配置する場所を示す文字入力枠２４ｅなどを表示する。なお、本実施例では、ソフトウェアキーボード２４ｄを用いて文字を入力する構成とするが、ハードキーを用いて文字を入力してもよいし、タッチパネル上に手書き入力した文字を画像処理部（画像処理プログラム）が認識してもよい。また、文字入力枠２４ｅの大きさや表示位置は任意であるが、デフォルトでは、完成品画像の大きさに応じた枠が完成品画像の中央に表示されることが好ましい。
【００４７】
そして、ユーザは、ソフトウェアキーボード２４ｄを用いて文字を入力し、位置調整キー２４ａを用いて文字入力枠２４ｅの位置を調整し、拡大縮小キー２４ｂを用いて文字を拡大／縮小する（Ｓ１０９）。図１３は、文字が飾りに重ならないように文字入力枠２４ｅを下にずらし、文字を小さくした状態を示している。
【００４８】
次に、ユーザが操作部２４（決定キー２４ｃなど）を操作して、文字入力レイアウトを決定すると（Ｓ１０９のＹＥＳ）、画像処理部（画像処理プログラム）は、Ｓ１０４で設定された用紙サイズとＳ１０９で決定されたレイアウトに従って文字を配置した印刷データを生成して画像形成部２６に転送し、画像形成部２６は印刷データに従って、予め指定された用紙に文字を印刷する。
【００４９】
このように、本実施例では、用紙を拡げた状態（画像処理装置２０にセットする状態）でスキャンして得た印刷用紙画像のみをプレビュー表示するのではなく、印刷用紙画像に、用紙を折り畳んだ状態（完成品として使用される状態）でスキャンして得た完成品画像を重ね合わせてプレビュー表示するため、どの部分に文字等を印刷すればよいかを容易に認識することができ、印刷された文字等がユーザの意図に反して見えなくなってしまったり、ユーザの意図に反して見えてしまったりすることがなくなり、完成品の見栄えを格段に向上させることができる。
【００５０】
なお、本発明は上記実施例に限定されるものではなく、本発明の趣旨を逸脱しない限りにおいて、その構成や制御は適宜変更可能である。
【００５１】
例えば、上記実施例では、熨斗袋とグリーティングカードを例にして説明したが、印刷後に折り畳んで使用される任意の形態の用紙に対して、本発明の制御を同様に適用することができる。
【００５２】
また、上記実施例では、文字を印刷する場合を例にして説明したが、文字に代えて、又は、文字と共に、予め記憶した若しくは手書き入力したイラストや図形、画像などを印刷することもできる。
【産業上の利用可能性】
【００５３】
本発明は、折り畳んで使用される用紙の印刷に際してプレビュー表示を行う装置に利用可能である。
【符号の説明】
【００５４】
１０  コンピュータ端末
２０  画像処理装置
２１  制御部
２１ａ  ＣＰＵ
２１ｂ  メモリ
２１ｃ  ＨＤＤ
２１ｄ  通信Ｉ／Ｆ部
２２  画像読取部
２３  表示部
２４  操作部
２４ａ  位置調整キー
２４ｂ  拡大縮小キー
２４ｃ  決定キー
２４ｄ  ソフトウェアキーボード
２４ｅ  文字入力枠
２５  給紙部
２６  画像形成部
２７  排紙部
３０  スキャナ装置
４０  通信ネットワーク
【図１】
2013200583.tif 000003
【図２】
2013200583.tif 000004
【図３】
2013200583.tif 000005
【図４】
2013200583.tif 000006
【図５】
2013200583.tif 000007
【図６】
2013200583.tif 000008
【図７】
2013200583.tif 000009
【図８】
2013200583.tif 000010
【図９】
2013200583.tif 000011
【図１０】
2013200583.tif 000012
【図１１】
2013200583.tif 000013
【図１２】
2013200583.tif 000014
【図１３】
2013200583.tif 000015